(57)【要約】【課題】コンピュータキーボード操作と通話を整合して使用でき、操作使用上の便利さを整合して、作業効率を大幅に向上させ、且つ、公知の電話機の使用で生じる、肩、首、脊椎の損傷を回避することが出来る電話装置を提供する。【解決手段】本考案のキーボードを結合して使用する電話装置は、キーボードからなり、キーボードの一側に、音声伝送装置、及び、本体電話線スロットを設置し、本体電話線スロットは、キーボード内に設けられた電話モジュールと連接されている。【選択図】図１
0003110250.tif 000002
【実用新案登録請求の範囲】
【請求項１】
キーボードを結合して使用する電話装置であって、
キーボードからなり、その一側に、音声伝送装置、及び、本体電話線スロットを設置し、前記本体電話線スロットは、電話モジュールと連接され、前記本体電話線スロットのもう一端は、電話線、或いは、ハードリンクと連接されることを特徴とするキーボードを結合して使用する電話装置。
【請求項２】
前記音声伝送装置は、音声伝送孔を有し、前記音声伝送孔は、通話ができるイヤーマイクロフォンを連接することを特徴とする請求項１に記載のキーボードを結合して使用する電話装置。
【請求項３】
前記キーボードは、通話孔、電話切り換えボタン、及び、多機能ボタンモジュールを有し、前記多機能ボタンモジュールは、内線、転送、保留、及び、数字ボタン等の機能を有することを特徴とする請求項１に記載のキーボードを結合して使用する電話装置。
【請求項４】
前記音声伝送装置は、無線音声送受信装置を有することを特徴とする請求項１に記載のキーボードを結合して使用する電話装置。
【請求項５】
前記キーボード側辺は、収蔵孔を設置し、イヤーマイクロフォン一端は、弾性回復機構を連結し、前記収蔵孔により、前記キーボード内部に連結されることを特徴とする請求項１に記載のキーボードを結合して使用する電話装置。
【請求項６】
キーボードを結合して使用する電話装置であって、
電話装置からなり、その一側に、音声伝送装置、及び、本体電話線スロットを設置し、前記本体電話線スロットは、電話モジュールと連接され、前記電話装置は、前記キーボードと結合して使用され、コンピュータ操作と通話機能を同時に兼ね備えていることを特徴とするキーボードを結合して使用する電話装置。
【請求項７】
前記音声伝送装置は、音声伝送孔を有し、前記音声伝送孔は、通話ができるイヤーマイクロフォンを連接することを特徴とする請求項６に記載のキーボードを結合して使用する電話装置。
【請求項８】
前記電話装置と前記キーボードの結合方式は、係接、或いは、一体成形であることを特徴とする請求項６に記載のキーボードを結合して使用する電話装置。
【請求項９】
前記電話装置は、多機能ボタンモジュールを有し、前記多機能ボタンモジュールは、内線、転送、保留、及び、数字ボタン等の機能を有し、且つ、前記電話装置は、少なくとも一つの吸盤を有することを特徴とする請求項６に記載のキーボードを結合して使用する電話装置。
【請求項１０】
前記音声伝送装置は、無線音声送受信装置を有することを特徴とする請求項６に記載のキーボードを結合して使用する電話装置。
【請求項１１】
前記電話装置側辺は、収蔵孔を設置し、イヤーマイクロフォン一端は、弾性回復機構を連結し、前記収蔵孔により、前記キーボード内部に連結されることを特徴とする請求項１に記載のキーボードを結合して使用する電話装置。
【考案の詳細な説明】
【技術分野】
【０００１】
本考案は、キーボードを結合して使用する電話装置に関するものであって、特に、キーボード操作と電話を整合し、コンピュータの操作と通話機能を同時に兼ね備えた電話装置に関するものである。
【背景技術】
【０００２】
使用者がコンピュータを使用する時、両手をキーボード上に置いて操作を行い、電話機は、一般に、キーボード操作位置両側、或いは、両側前方に配置するので、電話が来た時、或いは、掛けたい時、使用者は、キーボードでの操作を中断して、電話を使用する。この通話情況では、手元の作業が中断されるので、仕事の効率が低下して、仕事の進度にも影響する。また、コンピュータを操作しながら、通話する場合、使用者は、肩を少し上げて、首を傾け、受話器を挟む状態にするので、首、肩に負担がかかる。更に、現在のオフィス環境は、低コストが要求されるせいか、一般の職員の机は狭く、公知の受話器、及び、内線転送機能を有する電話機は、相当な面積を占有し、オフィスの机の応用空間を狭くしているので、改善の余地がある。よって、キーボード操作中の通話問題を改善し、効率や機能を向上させることが必要である。
【考案の開示】
【考案が解決しようとする課題】
【０００３】
本考案は、キーボードを結合して使用する電話装置を提供し、コンピュータキーボード操作と通話使用を整合し、操作使用上の便利さを有し、仕事効率を大幅に向上させることを目的とする。
【０００４】
本考案は、キーボードを結合して使用する電話装置を提供し、公知の電話機を使用して、作業進行中に生じる肩、首、脊椎の損傷を防止することをもう一つの目的とする。
【課題を解決するための手段】
【０００５】
上述の目的を達成するため、本考案のキーボードを結合して使用する電話装置は、キーボードからなり、キーボードの一側に、音声伝送装置、及び、本体電話線スロットを設置し、本体電話線スロットは、キーボード内に設けられた電話モジュールと連接されている。
【０００６】
更に、本考案のキーボードを結合して使用する電話装置は、電話装置を有し、電話装置の一側に、音声伝送装置、及び、本体電話線スロットを設置し、本体電話線スロットは、電話モジュールと連接され、電話装置は、キーボードを結合して使用し、同時に、コンピュータの操作と通話機能を兼ね備える。
【考案の効果】
【０００７】
本考案のキーボードを結合して使用する電話装置により、操作使用上の便利さが増し、仕事効率を大幅に向上させると共に、公知の電話機により、作業進行中に生じる肩、首、脊椎の損傷を防止することが可能である。
【考案を実施するための最良の形態】
【０００８】
以下、本考案の実施例について、図面を参照しながら説明する。
【実施例１】
【０００９】
図１は、本考案のキーボードを結合して使用する電話装置を示す図であって、キーボード２からなり、キーボード２の一側に、音声伝送装置４０、及び、本体電話線スロット６を設置し、音声伝送装置４０は、音声伝送孔４を有し、音声伝送孔４は、通話ができるイヤーマイクロフォン８を連接する。本体電話線スロット６は、電話線１０（或いは、ハードリンク）の対接を提供し、本体電話線スロット６は、キーボード２内の電話モジュール（図示しない）と連接されて、電話操作機能を有している。キーボード２上に、更に、通話孔１２、電話切り換えボタン１４、及び、多機能ボタンモジュール１６を有し、キーボード２は、電話切り換えボタン１４により、電話機能を有するキーボード２に転換され、且つ、多機能ボタンモジュール１６は、内線、転送、保留、及び、数字ボタン等の機能を有する。
【００１０】
更に、音声伝送装置４０は、無線音声送受信装置４２を設置し、無線音声送受信装置４２は、受信内容を、無線伝送方式（赤外線伝送等）により、音声の伝送を実行し、故に、使用者は、無線イヤーマイクロフォン（図示しない）を、無線音声送受信装置４２に合わせて使用し、電話の受信が可能になる。また、イヤーマイクロフォン８は、キーボード２に連結定位される設計で、図１A、図１Bで示されるように、キーボード２側辺は、収蔵孔３２を設置し、イヤーマイクロフォン８A一端は、収蔵孔３２により、キーボード２内部に連結され、且つ、弾性回復機構（図示しない。公知の弾性回復機構等）を連結し、電話を使用する時、イヤーマイクロフォン８Aのイヤー部８Bを手持し、引き出して使用し、使用終了後、弾性回復機構により、イヤーマイクロフォン８Aは、自動的に、キーボード２内に収回され、イヤー部８Bだけが、キーボード２の収蔵孔３２に残り、次のイヤーマイクロフォン８Aの使用に便利である。
【００１１】
使用者がコンピュータを使用する時、両手をキーボード２上で操作し、この時に電話が来ると、使用者は、電話切り換えスイッチ１４を押せば、音声伝送孔４に挿接したイヤーマイクロフォン８は、相手と通話が可能で、公知の電話本体を使用して通話する時に、手元の仕事を中断しないと通話できないということがなく、また、通話中に、コンピュータ資料をサーチするために、通話を一時停止しなくてもよいので、使用者は、通話中に、情況を見ながら、両手でのキーボード操作が可能で、オフィスでの仕事効率が大幅に上昇する。本考案の電話ダイヤル機能を使用したい時、電話切り換えボタン１４を押すだけで、コンピュータキーボードモードから、電話プッシュボタンモードに転換でき、キーボード２上の多機能ボタンモジュール１６中の数字ボタンは、即座に、プッシュボタンになり、プッシュボタンを押せば、電話線１０により発信され、相手と通話が出来、多機能ボタンモジュール１６は、内線、転送、保留等の機能ボタンを有し、よって、使用者は、本考案のキーボード２の操作と通話両者の機能により、オフィスの空間を節約することが出来る。もし、マイクロフォン８を使用したくない場合は、キーボード２上の通話孔１２により、直接、ハンズフリーのスピーカー機能を用いて、通話することもできる。
【実施例２】
【００１２】
図２は、本考案のキーボードを結合して使用する電話装置の第二実施例を示す図であって、キーボード１８は、電話装置２０と分離可能な結合設計で、電話装置２０上に、二つの突起２２を有し、キーボード１８の相対する一側に、二つの凹槽２４を有し、電話装置２０は、突起２２により、凹槽２４に係合して、キーボード１８上に結合され、キーボード１８との装着、取り外しが便利になっている。また、係合方式なので、損壊した、或いは、異なる形状の電話装置２０を交換することが出来る。電話装置２０は、音声伝送装置４０と本体電話線スロット６を設置し、本体電話線スロット６は、電話線１０（或いは、ハードリンク）を連接し、その一端は、電話装置２０内の電話モジュール（図示しない）に連接される。音声伝送装置４０は、音声伝送孔４を有し、音声伝送孔４は、通話用のイヤーマイクロフォン８を挿接し、電話装置２０上には、更に、通話孔１２、及び、多機能ボタンモジュール１６を設置し、多機能ボタンモジュール１６は、内線、転送、保留、及び、数字ボタン機能等のボタンを有するので、外接モジュール化の電話装置２０の便利さが増す。
【００１３】
更に、音声伝送装置４０は、無線音声送受信装置４２を設置し、無線音声送受信装置４２は、受信内容を、無線伝送方式（赤外線伝送等）により、音声の伝送を実行し、故に、使用者は、無線イヤーマイクロフォン（図示しない）を、無線音声送受信装置４２に合わせて使用し、電話の受信が可能になる。また、イヤーマイクロフォン８は、キーボード２に連結定位される設計で、図２A、図２Bで示されるように、電話装置２０側辺は、収蔵孔３２を設置し、イヤーマイクロフォン８A一端は、収蔵孔３２を通過して、電話装置２０内部に連結され、且つ、弾性回復機構（図示しない。公知の弾性回復機構等）を連結し、電話を使用する時、イヤーマイクロフォン８Aのイヤー部８Bを手持し、引き出して使用し、使用終了後、弾性回復機構により、イヤーマイクロフォン８Aは、自動的に、電話装置２０内に収回され、イヤー部８Bだけが、電話装置２０の収蔵孔３２に残り、次のイヤーマイクロフォン８Aの使用に便利である。
【実施例３】
【００１４】
図３は、本考案のキーボードを結合して使用する電話装置の第三実施例を示す図であって、主に、キーボード１８と電話装置２０を一体に整合したキーボード２６で、キーボード１８上のボタンと電話装置２０上のボタンを、それぞれ、使用するものである。
【実施例４】
【００１５】
図４は、本考案のキーボードを結合して使用する電話装置の第四実施例を示す図であって、キーボード１８と電話装置２０は、それぞれ使用する。電話装置２０は、少なくとも一つの吸盤２８を有し、吸盤２８は、デスクトップ上に吸着固定し、キーボード１８側辺に位置する。これにより、キーボード１８を操作する時、電話装置２０使用の便利さも兼ね備えることが出来、キーボード操作と通話使用を整合する。
【００１６】
上述のように、本考案のキーボードを結合使用した電話装置は、キーボードと電話装置を結合し、通話中に、両手の作業を妨げず、キーボード操作中の電話発信が便利になり、通話者、或いは、コンピュータ操作者の仕事効率を向上する。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】本考案の立体構造図である。
【図１Ａ】本考案のイヤーマイクロフォンの収蔵状態を示した図である。
【図１Ｂ】本考案のイヤーマイクロフォンを引き出した状態を示した図である。
【図２】本考案の第二実施例を示した図である。
【図２Ａ】本考案の第二実施例のイヤーマイクロフォンの収蔵状態を示した図である。
【図２Ｂ】本考案の第二実施例のイヤーマイクロフォンを引き出した状態を示した図である。
【図３】本考案の第三実施例を示した図である。
【図４】本考案の第四実施例を示した図である。
【符号の説明】
【００１９】
２…キーボード
４…音声伝送孔
６…本体電話線スロット
８…イヤーマイクロフォン
８B…イヤー部
８A…イヤーマイクロフォン
１０…電話線
１２…通話孔
１４…電話切り換えボタン
１６…多機能ボタンモジュール
１８…キーボード
２０…電話装置
２２…突起
２４…凹槽
２６…キーボード
２８…吸盤
３２…収蔵孔
４０…音声伝送装置
４２…無線音声送受信装置    
【図１】
0003110250.tif 000003
【図１Ａ】
0003110250.tif 000004
【図１Ｂ】
0003110250.tif 000005
【図２】
0003110250.tif 000006
【図２Ａ】
0003110250.tif 000007
【図２Ｂ】
0003110250.tif 000008
【図３】
0003110250.tif 000009
【図４】
0003110250.tif 000010